(57)【要約】【課題】容易に多ビット伝送が行なえる画像伝送システムを提供すること。【解決手段】画像表示ボードのホスト側マイコン１０２は、第１および第２ケーブルにディスプレイの第１および第２モニタ側ポート１０５，１０６が各々接続されたことをＨＰＤ部１３１によって検出すると、分割された画像信号が送信可能であることを示す送信可能信号を、ＨＰＤラインを介して送出する。送信可能信号を受け取ったディスプレイのモニタ側マイコン１０７は、第１および第２モニタ側ポート１０５，１０６を介して受信する画像信号のビット数を設定して、分割された画像信号を受信可能であることを示す受信可能信号を、ＨＰＤラインを介して送出する。ホスト側マイコン１０２は、受信可能信号を受け取ると、分割された画像信号を第１および第２ケーブル１０９，１１０を介して送信する。ディスプレイ１０８は、分割された画像信号を受信し、合成する。【選択図】  図１
2004191454.tif 000002
【特許請求の範囲】
【請求項１】
少なくとも画像信号を出力するホスト側ポートを複数個有するホスト装置と、少なくとも画像信号が入力されるモニタ側ポートを複数個有するモニタ装置と、上記複数のホスト側ポートと上記複数のモニタ側ポートとを各々接続すると共に、画像伝送ラインと接続検出ラインとを有する複数の伝送路とを備えた画像伝送システムであって、
上記モニタ装置は、
上記複数の伝送路の接続検出ラインに、この複数の伝送路にモニタ装置が接続されたことを示す接続検出信号を各々出力する接続検出信号出力手段と、
上記伝送路の接続検出ラインから、上記ホスト装置は分割された画像信号が送信可能であることを示す信号を受け取ると、上記伝送路の接続検出ラインに、上記分割された画像信号が受信可能であることを示す受信可能信号を出力する受信可能信号出力手段と、
上記複数の伝送路の画像伝送ラインから、分割された画像信号を各々受信する複数の画像信号受信手段と、
上記複数の画像信号受信手段が受信した上記分割された画像信号を合成する画像信号合成手段とを備え、
上記ホスト装置は、
上記複数の伝送路の接続検出ラインから上記モニタ装置の接続検出信号を受け取ると、上記伝送路の接続検出ラインに、分割された画像信号が送信可能であることを示す信号を出力する送信可能信号出力手段と、
上記伝送路の接続検出ラインから上記モニタ装置の受信可能信号を受け取ると、上記複数の伝送路の画像伝送ラインに、分割された画像信号を各々送出する複数の画像信号送信手段とを備えることを特徴とする画像伝送システム。
【請求項２】
画像信号を伝送する画像伝送ラインと、接続検出信号を伝送する接続検出ラインとを有する複数の伝送路に各々接続される複数のポートと、上記複数の伝送路の接続検出ラインから、この複数の伝送路にモニタ装置が接続されたことを示す信号を各々受け取ると、上記伝送路の接続検出ラインに、分割された画像信号が送信可能であることを示す信号を出力する送信可能信号出力手段と、
上記伝送路の接続検出ラインから、上記モニタ装置は分割された画像信号が受信可能であることを示す信号を受け取ると、上記複数の伝送路の画像伝送ラインに、分割された画像信号を各々送出する複数の画像信号送信手段と
を備えることを特徴とするホスト装置。
【請求項３】
画像信号を伝送する画像伝送ラインと、接続検出信号を伝送する接続検出ラインとを有する複数の伝送路に各々接続される複数のポートと、上記複数の伝送路の接続検出ラインに、この複数の伝送路に接続されたことを示す信号を各々出力する接続検出信号出力手段と、
上記伝送路の接続検出ラインから、この伝送路に接続されたホスト装置は分割された画像信号が送信可能であることを示す信号を受け取ると、上記接続検出ラインに、上記分割された画像信号が受信可能であることを示す信号を出力する受信可能信号出力手段と、
上記複数の伝送路の画像伝送ラインから、分割された画像信号を各々受信する複数の画像信号受信手段と、
上記複数の画像信号受信手段が受信した上記分割された画像信号を合成する画像信号合成手段と
を備えることを特徴とするモニタ装置。
【請求項４】
画像伝送ラインと接続検出ラインとを有する複数の伝送路を介して、ホスト装置がモニタ装置に画像信号を伝送する画像伝送方法であって、
上記モニタ装置は、上記複数の伝送路の接続検出ラインに、この複数の伝送路に接続されたことを示す接続検出信号を各々出力し、
上記ホスト装置は、上記複数の伝送路の接続検出ラインから上記接続検出信号を各々受け取ると、上記伝送路の接続検出ラインに、分割された画像信号が送信可能であることを示す送信可能信号を出力し、
上記モニタ装置は、上記伝送路の接続検出ラインから上記送信可能信号を受け取ると、上記伝送路の接続検出ラインに、分割された画像信号が受信可能であることを示す受信可能信号を出力し、
上記ホスト装置は、上記伝送路の接続検出ラインから上記受信可能信号を受け取ると、上記複数の伝送路の画像伝送ラインに、分割された画像信号を送出し、
上記モニタ装置は、上記複数の伝送路の画像伝送ラインから上記分割された画像信号を受信すると、この分割された画像信号を合成することを特徴とする画像伝送方法。
【発明の詳細な説明】
【０００１】
【発明の属する技術分野】
本発明は、画像伝送システム、画像送信装置、画像受信装置および画像伝送方法に関する。
【０００２】
【従来の技術】
従来、例えば８ビット以上の画像データを伝送する画像伝送システムとしては、１６ビットの白黒画像データを伝送するものがある（特許文献１参照）。この画像伝送システムのホスト装置は、１６ビットの白黒画像データを、上位と下位の８ビットづつの画像データに分け、８ビットの上位データをアナログＲＧＢ（赤、緑、青）出力コネクタのＲ（赤）信号用端子に送出すると共に、８ビットの下位データをアナログＲＧＢ出力コネクタのＧ（緑）信号用端子に送出している。上記アナログＲＧＢ出力コネクタに一端が接続されたＲＧＢケーブルの他端は、モニタ装置に接続している。このモニタ装置は、上記ＲＧＢケーブルのＲ信号用ラインを介して上位データを受け取ると共に、上記ＲＧＢケーブルのＧ信号用ラインを介して下位データを受け取る。そして、これらの上位データと下位データとを合成して１６ビットの白黒画像データを生成して、表示手段によって白黒画像を表示している。
【０００３】
しかしながら、上記従来の画像伝送システムは、ＲＧＢケーブルが有する３つの信号用ラインのうちの２つの信号用ラインを介して１６ビットの白黒画像データを伝送するので、カラーの画像データを伝送できない。
【０００４】
そこで、ＤＶＩ（デジタル・ビジュアル・インターフェース）１．０のような８ビットのカラー画像データの伝送規格に準拠して、８ビット以上のカラー画像データを伝送するいわゆる多ビット伝送を行なう画像伝送システムが提案されている。すなわち、この画像伝送システムでは、ホスト装置が有する２つのポートと、モニタ装置が有する２つの２つのポートとを、２本のＤＶＩケーブルで各々接続する。上記ホスト装置は、１０ビットのカラー画像データを分割してなる８ビットの上位ビットデータと２ビットの下位ビットデータとを、上記２本のＤＶＩケーブルに別個に送出する。上記モニタ装置は、上記別個に伝送された上位ビットデータと下位ビットデータとを受信し、これらの上位ビットデータと下位ビットデータとを合成して１０ビットのカラー画像データを復元して、表示手段によって画像を表示する。
【０００５】
【特許文献１】
特開２０００−１１２４５７号公報（第１図）
【０００６】
【発明が解決しようとする課題】
しかしながら、上記従来の画像伝送システムは、ＤＶＩ規格は２つのポートを同時に用いた多ビット伝送を前提としていないので、上記２本のＤＶＩケーブルで上位ビットデータと下位ビットデータを別個に送信しても、上記モニタ装置は、上記上位ビットデータおよび下位ビットデータが合成されるべきデータであることが認識できない。したがって、多ビット伝送を行なう前に、モニタ装置の２つのポートに接続する２つの信号線を、データの合成回路に手動で予め接続する必要がある。したがって、多ビット伝送を行なう際の操作が煩雑になるという問題がある。
【０００７】
そこで、本発明の目的は、容易に多ビット伝送が行なえる画像伝送システムを提供することにある。
【０００８】
【課題を解決するための手段】
上記目的を達成するため、本発明の画像伝送システムは、少なくとも画像信号を出力するホスト側ポートを複数個有するホスト装置と、少なくとも画像信号が入力されるモニタ側ポートを複数個有するモニタ装置と、上記複数のホスト側ポートと上記複数のモニタ側ポートとを各々接続すると共に、画像伝送ラインと接続検出ラインとを有する複数の伝送路とを備えた画像伝送システムであって、
上記モニタ装置は、
上記複数の伝送路の接続検出ラインに、この複数の伝送路にモニタ装置が接続されたことを示す接続検出信号を各々出力する接続検出信号出力手段と、
上記伝送路の接続検出ラインから、上記ホスト装置は分割された画像信号が送信可能であることを示す信号を受け取ると、上記伝送路の接続検出ラインに、上記分割された画像信号が受信可能であることを示す受信可能信号を出力する受信可能信号出力手段と、
上記複数の伝送路の画像伝送ラインから、分割された画像信号を各々受信する複数の画像信号受信手段と、
上記複数の画像信号受信手段が受信した上記分割された画像信号を合成する画像信号合成手段とを備え、
上記ホスト装置は、
上記複数の伝送路の接続検出ラインから上記モニタ装置の接続検出信号を受け取ると、上記伝送路の接続検出ラインに、分割された画像信号が送信可能であることを示す信号を出力する送信可能信号出力手段と、
上記伝送路の接続検出ラインから上記モニタ装置の受信可能信号を受け取ると、上記複数の伝送路の画像伝送ラインに、分割された画像信号を各々送出する複数の画像信号送信手段とを備えることを特徴としている。
【０００９】
上記構成によれば、上記モニタ装置の接続検出信号出力手段によって、上記複数の伝送路の接続検出ラインに、この複数の伝送路にモニタ装置が接続されたことを示す接続検出信号が各々出力される。上記ホスト装置では、上記接続検出信号が受け取られると、上記送信可能信号出力手段によって、分割された画像信号が送信可能であることを示す信号が、上記伝送路の接続検出ラインに出力される。上記モニタ装置では、上記ホスト装置は分割された画像信号が送信可能であることを示す信号が受け取られると、上記受信可能信号出力手段によって、上記接続検出ラインに、上記分割された画像信号が受信可能であることを示す受信可能信号が出力される。上記ホスト装置では、上記受信可能信号が受け取られると、上記複数の画像信号送信手段によって、上記複数の伝送路の画像伝送ラインに、分割された画像信号が各々送出される。上記モニタ装置では、上記分割された画像信号が上記複数の画像信号受信手段によって各々受け取られて、この分割された画像信号が上記画像信号合成手段によって合成される。したがって、複数の伝送路を介して画像信号を伝送する例えば多ビット伝送が、従来におけるように予めモニタ装置の合成回路を手動で切り換えること無く、自動で実行される。その結果、例えばＤＶＩ規格等の多ビット伝送を規定していない規格を用いて、画像信号の多ビット伝送が簡易に実行される。
【００１０】
本発明のホスト装置は、画像信号を伝送する画像伝送ラインと、接続検出信号を伝送する接続検出ラインとを有する複数の伝送路に各々接続される複数のポートと、
上記複数の伝送路の接続検出ラインから、この複数の伝送路にモニタ装置が接続されたことを示す信号を各々受け取ると、上記伝送路の接続検出ラインに、分割された画像信号が送信可能であることを示す信号を出力する送信可能信号出力手段と、
上記伝送路の接続検出ラインから、上記モニタ装置は分割された画像信号が受信可能であることを示す信号を受け取ると、上記複数の伝送路の画像伝送ラインに、分割された画像信号を各々送出する複数の画像信号送信手段と
を備えることを特徴としている。
【００１１】
上記構成によれば、上記複数の伝送路の接続検出ラインから、この複数の伝送路にモニタ装置が接続されたことを示す信号を各々受け取ると、上記送信可能信号出力手段によって、上記伝送路の接続検出ラインに、分割された画像信号が送信可能であることを示す信号が出力される。また、上記伝送路の接続検出ラインから、この伝送路に接続されたモニタ装置は分割された画像信号が受信可能であることを示す信号を受け取ると、上記画像信号送信手段によって、上記複数の伝送路の画像伝送ラインに、分割された画像信号が各々送出される。したがって、本発明のホスト装置によれば、上記モニタ装置は分割された画像信号が受信可能であるか否かが適切に判断でき、この判断に基いて、分割された画像信号を複数の伝送路を介して伝送できる。その結果、例えばＤＶＩ規格等の多ビット伝送を規定していない規格を用いて、画像信号の多ビット伝送が簡易に実行できる。
【００１２】
本発明のモニタ装置は、画像信号を伝送する画像伝送ラインと、接続検出信号を伝送する接続検出ラインとを有する複数の伝送路に各々接続される複数のポートと、
上記複数の伝送路の接続検出ラインに、この複数の伝送路に接続されたことを示す信号を各々出力する接続検出信号出力手段と、
上記伝送路の接続検出ラインから、この伝送路に接続されたホスト装置は分割された画像信号が送信可能であることを示す信号を受け取ると、上記接続検出ラインに、上記分割された画像信号が受信可能であることを示す信号を出力する受信可能信号出力手段と、
上記複数の伝送路の画像伝送ラインから、分割された画像信号を各々受信する複数の画像信号受信手段と、
上記複数の画像信号受信手段が受信した上記分割された画像信号を合成する画像信号合成手段と
を備えることを特徴としている。
【００１３】
上記構成によれば、上記複数の伝送路の接続検出ラインに、上記接続検出信号出力手段によって、このモニタ装置が上記複数の伝送路に接続されたことを示す信号が出力される。上記伝送路の接続検出ラインから、この伝送路に接続されたホスト装置は分割された画像信号が送信可能であることを示す信号が受け取られると、上記受信可能信号出力手段によって、上記分割された画像信号が受信可能であることを示す信号が上記接続検出ラインに出力される。上記複数の伝送路の画像伝送ラインから、分割された画像信号が上記複数の画像信号受信手段によって受信される。この分割された画像信号は、上記画像信号合成手段によって合成される。したがって、本発明のモニタ装置によれば、従来におけるような事前の手動操作を受けること無く、分割されて伝送された画像信号を受信し、合成することができる。
【００１４】
本発明の画像伝送方法は、画像伝送ラインと接続検出ラインとを有する複数の伝送路を介して、ホスト装置がモニタ装置に画像信号を伝送する画像伝送方法であって、
上記モニタ装置は、上記複数の伝送路の接続検出ラインに、この複数の伝送路に接続されたことを示す接続検出信号を各々出力し、
上記ホスト装置は、上記複数の伝送路の接続検出ラインから上記接続検出信号を各々受け取ると、上記伝送路の接続検出ラインに、分割された画像信号が送信可能であることを示す送信可能信号を出力し、
上記モニタ装置は、上記伝送路の接続検出ラインから上記送信可能信号を受け取ると、上記伝送路の接続検出ラインに、分割された画像信号が受信可能であることを示す受信可能信号を出力し、
上記ホスト装置は、上記伝送路の接続検出ラインから上記受信可能信号を受け取ると、上記複数の伝送路の画像伝送ラインに、分割された画像信号を送出し、上記モニタ装置は、上記複数の伝送路の画像伝送ラインから上記分割された画像信号を受信すると、この分割された画像信号を合成することを特徴としている。
【００１５】
上記構成によれば、上記モニタ装置は、上記複数の伝送路の接続検出ラインに、この複数の伝送路にモニタ装置が接続されたことを示す接続検出信号を各々出力する。上記ホスト装置は、上記接続検出信号を受け取ると、分割された画像信号が送信可能であることを示す送信可能信号を、上記伝送路の接続検出ラインに出力する。上記モニタ装置は、上記送信可能信号を受け取ると、分割された画像信号が受信可能であることを示す受信可能信号を、上記伝送路の接続検出ラインに出力する。上記ホスト装置は、上記受信可能信号を受け取ると、分割された画像信号を、上記複数の伝送路の画像伝送ラインに各々送出する。上記モニタ装置は、上記分割された画像信号を受信し、この分割された画像信号を合成する。したがって、本発明の画像伝送方法によれば、分割された画像信号を伝送する場合、従来におけるようにモニタ装置の合成回路を手動で切り換えること無く、分割された画像信号の伝送および合成を自動で行なうことができる。
【００１６】
【発明の実施の形態】
以下、本発明を図示の実施の形態により詳細に説明する。
【００１７】
図１は、本発明の実施形態の画像伝送システムを示す概略図である。
【００１８】
この画像伝送システムは、コンピュータに設けられてホスト装置として働く画像表示ボード１０１と、この画像表示ボード１０１から画像信号を受信するモニタ装置としてのディスプレイ１０８を備える。上記画像表示ボード１０１とディスプレイ１０８とは、複数の伝送路としての第１ケーブル１０９および第２ケーブル１１０によって接続されている。上記画像表示ボード１０１、ディスプレイ１０８、第１ケーブル１０９および第２ケーブル１１０は、ＤＶＩ規格に準拠して画像信号および制御信号の伝送を行なうように形成されている。
【００１９】
上記画像表示ボード１０１は、ホスト側マイコン１０２と、上記第１ケーブル１０９の一端が接続される第１ホスト側ポート１０３と、上記第２ケーブル１１０の一端が接続される第２ホスト側ポート１０４とを備える。上記ホスト側マイコン１０２は、上記第１ホスト側ポート１０３が備えるＨＰＤ（ホット・プラグ・ディテクション）端子と、上記第２ホスト側ポート１０４が備えるＨＰＤ端子とに接続されている。
【００２０】
上記ディスプレイ１０８は、モニタ側マイコン１０７と、上記第１ケーブル１０９の他端が接続される第１モニタ側ポート１０５と、上記第２ケーブル１１０の他端が接続される第２モニタ側ポート１０６とを備える。上記モニタ側マイコン１０７は、上記第１モニタ側ポート１０５が備えるＨＰＤ端子と、上記第２モニタ側ポート１０６が備えるＨＰＤ端子とに接続されている。上記モニタ側マイコン１０７と第１モニタ側ポート１０５のＨＰＤ端子との間と、上記モニタ側マイコン１０７と第２モニタ側ポート１０６のＨＰＤ端子との間を接続するモニタ側ＨＰＤライン１１２には、プルアップ抵抗１１３が接続されている。これによって、ＤＶＩ規格の規定に従って、後述する画像表示ボードのＨＰＤ部１３１が、上記第１および第２モニタ側ポート１０５，１０６のＨＰＤ端子のロジックを検出可能になっている。上記モニタ側マイコン１０７は、画像表示ボード１０１の後述する電源部１３３によって供給される電力によって、ディスプレイ１０８の電源がオフの場合でも駆動可能になっている。
【００２１】
図２は、図１の画像伝送システムの一部を詳細に示した図である。図２では、本実施形態の画像伝送システムのうち、第１ケーブル１０９に関する部分のみを示している。また、上記ホスト側マイコン１０２と、モニタ側マイコン１０７と、プルアップ抵抗１１３は省略している。
【００２２】
図２で示すように、画像表示ボード１０１は、画像信号に関する制御を行なう画像制御部１２１を備える。この画像制御部１２１はトランスミッタ１２２に接続されており、このトランスミッタ１２２は画像信号を上記画像制御部１２１から受け取って、ＴＭＤＳ信号に変換する。このＴＭＤＳ信号は、第１ホスト側ポート１０３のＴＭＤＳ端子から出力されるように形成されている。さらに、この画像表示ボード１０１はＨＰＤ部１３１を備え、このＨＰＤ部１３１によって、上記第１ホスト側ポート１０３のＨＰＤ端子を介して、上記ディスプレイ１０８の第１モニタ側ポート１０５のＨＰＤ端子のロジックを検出する。このＨＰＤ端子のロジックの検出結果によって、この画像表示ボード１０１が一端に接続された第１ケーブル１０９の他端に、上記ディスプレイ１０８の第１モニタ側ポート１０５が接続されているか否かを判断するようになっている。また、この画像表示ボード１０１は電源部１３３を備え、この電源部１３３によって、第１ホスト側ポート１０３が備える５Ｖ端子を介して上記ディスプレイ１０８に５Ｖの電力を供給するようにしている。
【００２３】
また、図２に示すように、上記ディスプレイ１０８は、上記画像表示ボード１０１のトランスミッタ１２２から送出されたＴＭＤＳ信号を、第１モニタ側ポート１０５のＴＭＤＳ端子を介して受け取るレシーバ１２６を備える。このレシーバ１２６は、上記ＴＭＤＳ信号を変換して画像信号を生成し、この画像信号を表示回路１２５に送出するように形成されている。この表示回路１２５は、クロック信号ＣＫ、データイネーブル信号ＤＥ、画像データＤＡＴＡを含む上記画像信号を受けて、この画像信号に基いて液晶パネルを駆動するようになっている。
【００２４】
さらに、このディスプレイ１０８は、上記第１ケーブル１０９を介して上記画像表示ボード１０１に接続された際、この画像表示ボード１０１が設けられたコンピュータにディスプレイ１０８の仕様を通知して、いわゆるプラグアンドプレイ機能を実現するための接続制御部１３５を備える。この接続制御部１３５は、このディスプレイ１０８の仕様に関する情報であるＥＤＩＤ（エクステンディッド・ディスプレイ・アイデンティフィケーション・データ）を格納した図示しないメモリを備える。また、このメモリに格納されたＥＤＩＤを、Ｉ２Ｃプロトコルに基いて画像表示ボード１０１が設けられたコンピュータに送信するＤＤＣ部１３２を備える。上記接続制御部１３５は、上記モニタ側ポート１０５の５Ｖ端子に接続されており、上記第１ケーブル１０９を介して上記画像表示ボード１０１の電源部１３３から電力が供給される。これによって、ディスプレイ１０８の電源がオフの場合にも、上記接続制御部１３５は画像表示ボード１０１に対して仕様情報を送出可能になっている。
【００２５】
図３は、上記第１および第２ホスト側ポート１０３，１０４と、上記第１および第２モニタ側ポート１０５，１０６が有する端子の配列を示す概略図である。図３において、１はＴＭＤＳデータ２＋端子、２はＴＭＤＳデータ２−端子、３はＴＭＤＳデータ２／４シールド端子である。４，５はＮＣ（未使用）端子である。６はＤＤＣクロック端子、７はＤＤＣデータ端子、８はアナログ垂直同期信号端子、９はＴＭＤＳデータ１−端子、１０はＴＭＤＳデータ１＋端子、１１はＴＭＤＳデータ１／３シールド端子である。１２，１３はＮＣ（未使用）端子である。１４は＋５Ｖ端子、１５はＧＮＤ端子、１６はＨＰＤ端子である。１７はＴＭＤＳデータ０−端子、１８はＴＭＤＳデータ０＋端子、１９はＴＭＤＳデータ０／５シールド端子である。２０，２１はＮＣ（未使用）端子である。２２はＴＭＤＳクロックシールド端子、２３はＴＭＤＳクロック＋端子、２４はＴＭＤＳクロック−端子である。Ｃ１はアナログ赤色端子、Ｃ２はアナログ緑色端子、Ｃ３はアナログ青色端子、Ｃ４はアナログ水平同期信号端子、Ｃ５はアナログＧＮＤ端子である。上記第１および第２ホスト側ポート１０３，１０４と、上記第１および第２モニタ側ポート１０５，１０６との間を接続する第１および第２ケーブル１０９，１１０には、上記各端子に対応するラインが設けられている。
【００２６】
上記構成の画像伝送システムは、以下のように動作する。
【００２７】
まず、上記画像表示ボード１０１の第１ホスト側ポート１０３と、上記ディスプレイ１０８の第１モニタ側ポート１０５とを、第１ケーブル１０９によって接続する。また、上記画像表示ボード１０１の第２ホスト側ポート１０４と、上記ディスプレイ１０８の第２モニタ側ポート１０６とを、第２ケーブル１１０によって接続する。そうすると、上記画像表示ボード１０１の電源１３３から５Ｖの電力がディスプレイ１０８に供給され、上記モニタ側マイコン１０７と接続制御部１３５とが動作を開始する。上記接続制御部１３５の動作が開始されると、この接続制御部のＤＤＣ部１３２は、Ｉ２Ｃプロトコルを用いて、第１モニタ側ポート１０５のＤＤＣ端子と、上記第１ケーブル１０９のＤＤＣラインと、上記第１ホスト側ポート１０３のＤＤＣ端子とを介して、上記画像表示ボード１０１を有するコンピュータのＣＰＵとの通信を開始する。これによって、上記接続制御部１３５のメモリに格納されたＥＤＩＤが上記コンピュータに送出され、このＥＤＩＤを認識したコンピュータのＯＳ（オペレーションシステム）によって、上記ディスプレイ１０８の仕様に応じた設定が行なわれる。
【００２８】
また、上記第１モニタ側ポート１０５のＨＰＤ端子および上記第２モニタ側ポート１０６のＨＰＤ端子には、上記プルアップ抵抗１１３によってＨレベルのロジックが生成されている。このロジックを、上記画像表示ボードのＨＰＤ部１３１が、上記第１ホスト側ポート１０３のＨＰＤ端子と、複数の接続検出ラインとしての第１および第２ケーブル１０９，１１０のＨＰＤラインと、上記第２ホスト側ポート１０４のＨＰＤ端子とを介して検出する。これによって、上記第１および第２ケーブル１０９，１１０に、上記ディスプレイの第１モニタ側ポート１０５および第２モニタ側ポート１０６が接続されたことを検出する。すなわち、上記接続検出信号としてのＨレベルのロジックを生成するプルアップ抵抗１１３が、接続検出信号出力手段として機能する。
【００２９】
なお、上記ＨＰＤ部１３１が、上記第１モニタ側ポート１０５のＨＰＤ端子および上記第２モニタ側ポート１０６のＨＰＤ端子のいずれか１つのみについてＨレベルのロジックを検出した場合、このロジックを検出した端子を含むポートを介して、ＤＶＩ規格に基いた通常の画像伝送を行なう。
【００３０】
上記ＨＰＤ部１３１が、上記第１および第２モニタ側ポート１０５，１０６の２つのロジックを検出した場合、上記画像表示ボードのマイコン１０２は、分割されたデータが送信可能であることを示す送信可能信号を、上記第１ホスト側ポート１０３のＨＰＤ端子に出力する。つまり、上記マイコン１０２は、送信可能信号出力手段として機能する。上記第１ホスト側ポート１０３のＨＰＤ端子に出力された送信可能信号は、上記第１ケーブルのＨＰＤラインと、上記第１モニタ側ポート１０５のＨＰＤ端子とを介して、上記モニタ側マイコン１０７に受け取られる。
【００３１】
上記送信可能信号を受け取った上記モニタ側マイコン１０７は、例えば１０ビットの画像信号を受信する場合、第１モニタ側ポート１０５を介して上位８ビット信号を受信すると共に、第２モニタ側ポート１０６を介して下位２ビット信号を受信するように、受信ビット数の割り当てを設定する。上記各ポート１０５，１０６における受信ビット数の割り当てが完了すると、上記モニタ側マイコン１０７は、上記ホスト側マイコン１０２から受け取った上記送信可能信号に、受信が完了したコマンドを付加することによって、分割された画像信号が受信可能であることを示す受信可能信号を生成する。そして、この受信可能信号を上記第１モニタ側ポート１０５のＨＰＤ端子に出力する。つまり、上記モニタ側マイコン１０７は、受信可能信号出力手段として機能する。なお、上記受信可能信号は、上記送信可能信号に上記受信が完了したコマンドを付加したものでなくて、分割された画像信号が受信可能である旨を示す新たに生成された信号であってもよい。上記受信可能信号は、上記第１ケーブル１０９，上記第１ホスト側ポート１０３を介して、上記ホスト側マイコン１０２に受け取られる。
【００３２】
上記受信可能信号を受け取ったホスト側マイコン１０２は、上記画像表示ボードの画像制御部１２１に指令を与えて、１０ビットの画像信号のうちの上位８ビットの画像信号を、上記第１ホスト側ポート１０３に接続された上記トランスミッタ１２２に送出させる。これと共に、第２ホスト側ポート１０４側の図示しない画像制御部に指令を与えて、１０ビットの画像信号のうちの下位２ビットの画像信号を、上記第２ホスト側ポート１０４に接続された図示しないトランスミッタに送出させる。上記上位８ビットの画像信号を受け取ったトランスミッタ１２２は、この上位８ビットの画像信号をＴＭＤＳ変換して上位ＴＭＤＳ信号を生成し、この上位ＴＭＤＳ信号を第１ホスト側ポート１０３のＴＭＤＳ端子に出力する。上記下位２ビットの画像信号を受け取った図示しないトランスミッタは、この下位２ビットの画像信号をＴＭＤＳ変換して下位ＴＭＤＳ信号を生成し、この下位ＴＭＤＳ信号を第２ホスト側ポート１０４のＴＭＤＳ端子に出力する。つまり、上記第１ホスト側ポート１０３側のトランスミッタ１２２と、上記第２ホスト側ポート１０４側のトランスミッタは、複数の画像信号送信手段として機能する。
【００３３】
上記第１ホスト側ポート１０３のＴＭＤＳ端子に出力された上位ＴＭＤＳ信号は、第１ケーブルのＴＭＤＳラインと、第１モニタ側ポート１０５のＴＭＤＳ端子を介して、この第１モニタ側ポート１０５に接続されたレシーバ１２６に受け取られる。上記第２ホスト側ポート１０４のＴＭＤＳ端子に出力された下位ＴＭＤＳ信号は、第２ケーブルのＴＭＤＳラインと、第２モニタ側ポート１０６のＴＭＤＳ端子を介して、この第２モニタ側ポート１０６に接続された図示しないレシーバに受け取られる。つまり、上記第１および第２ケーブル１０９，１１０のＴＭＤＳラインは、複数の伝送路の画像伝送ラインとして機能する。
【００３４】
上記第１モニタ側ポート１０５のレシーバ１２２は、上位ＴＭＤＳ信号を逆変換して上位８ビットの画像信号を復元する。また、上記第モニタ側ポート１０６のレシーバは、下位ＴＭＤＳ信号を逆変換して下位２ビットの画像信号を復元する。上記８ビットの画像信号と２ビットの画像信号とを、図示しない画像信号合成手段によって合成して、クロック信号ＣＫ、データイネーブル信号ＤＥ、画像データＤＡＴＡを含む１０ビットの画像信号を生成する。この１０ビットの画像信号を上記表示回路１２５に送出して、この表示回路１２５によって、図示しない液晶パネルを駆動し、この液晶パネルに１０ビットの高品質画像を表示する。
【００３５】
本実施形態の画像伝送システムによれば、上記画像表示ボード１０１は、ＤＶＩ規格に基いたＨＰＤ機能によって上記ディスプレイ１０８の第１および第２モニタ側ポート１０５，１０６の２つのロジックを検出すると、ＨＰＤラインを介して送信可能信号を送信する。この送信可能信号を受信した上記ディスプレイ１０８は、分割された画像信号に関する上記第１および第２モニタ側ポート１０５，１０６における受信ビット数の割り当てを設定して、上記ＨＰＤラインを介して受信可能信号を送信する。この受信可能信号を受信した上記画像表示ボード１０１は、分割された画像信号を、上記第１および第２ケーブルのＴＭＤＳラインを介して上記ディスプレイ１０８に送信する。上記分割された画像信号を受信したディスプレイ１０８は、この分割された画像信号を合成し、表示手段に画像を表示する。したがって、この画像伝送システムのディスプレイ１０８は、従来におけるように、複数のモニタ側ポートが予め手動で合成回路に接続されることなく、分割された画像信号を受信するための設定を自動で行なって、この分割された画像信号を受信・合成できる。その結果、この画像伝送システムは、ＤＶＩ規格に準拠しつつ、多ビット伝送を簡易に行なうことができる。
【００３６】
上記実施形態において、上記ホスト側マイコン１０２は、画像表示ボードのＨＰＤ部１３１と一体に形成してもよい。また、上記ホスト側マイコン１０２は、画像表示ボードの画像制御部１２１と一体に形成してもよい。また、上記モニタ側マイコン１０７は、ディスプレイの接続制御部１３５と一体に形成してもよい。
【００３７】
【発明の効果】
以上より明らかなように、本発明の画像伝送システムによれば、少なくとも画像信号を出力するホスト側ポートを複数個有するホスト装置と、少なくとも画像信号が入力されるモニタ側ポートを複数個有するモニタ装置と、上記複数のホスト側ポートと上記複数のモニタ側ポートとを各々接続すると共に、画像伝送ラインと接続検出ラインとを有する複数の伝送路とを備えた画像伝送システムであって、上記モニタ装置は、上記複数の伝送路の接続検出ラインに、この複数の伝送路にモニタ装置が接続されたことを示す接続検出信号を各々出力する接続検出信号出力手段と、上記伝送路の接続検出ラインから、上記ホスト装置は分割された画像信号が送信可能であることを示す信号を受け取ると、上記伝送路の接続検出ラインに、上記分割された画像信号が受信可能であることを示す受信可能信号を出力する受信可能信号出力手段と、上記複数の伝送路の画像伝送ラインから、分割された画像信号を各々受信する複数の画像信号受信手段と、上記複数の画像信号受信手段が受信した上記分割された画像信号を合成する画像信号合成手段とを備え、上記ホスト装置は、上記複数の伝送路の接続検出ラインから上記モニタ装置の接続検出信号を受け取ると、上記伝送路の接続検出ラインに、分割された画像信号が送信可能であることを示す信号を出力する送信可能信号出力手段と、上記伝送路の接続検出ラインから上記モニタ装置の受信可能信号を受け取ると、上記複数の伝送路の画像伝送ラインに、分割された画像信号を各々送出する複数の画像信号送信手段とを備えるので、例えばＤＶＩ規格等に準拠しつつ、上記ホスト装置はモニタ装置に応じて分割された画像信号を送信し、上記モニタ装置は予め手動の操作を受けることなく分割された画像信号を受信・合成して、多ビット伝送を自動で実行することができる。
【００３８】
本発明のホスト装置によれば、画像信号を伝送する画像伝送ラインと、接続検出信号を伝送する接続検出ラインとを有する複数の伝送路に各々接続される複数のポートと、上記複数の伝送路の接続検出ラインから、この複数の伝送路にモニタ装置が接続されたことを示す信号を各々受け取ると、上記伝送路の接続検出ラインに、分割された画像信号が送信可能であることを示す信号を出力する送信可能信号出力手段と、上記伝送路の接続検出ラインから、上記モニタ装置は分割された画像信号が受信可能であることを示す信号を受け取ると、上記複数の伝送路の画像伝送ラインに、分割された画像信号を各々送出する複数の画像信号送信手段とを備えるので、上記モニタ装置は分割された画像信号が受信可能であるか否かが適切に判断でき、この判断に基いて、分割された画像信号を複数の伝送路を介して伝送できる。その結果、例えばＤＶＩ規格等に準拠しつつ、画像信号の多ビット伝送が簡易に実行できる。
【００３９】
本発明のモニタ装置によれば、画像信号を伝送する画像伝送ラインと、接続検出信号を伝送する接続検出ラインとを有する複数の伝送路に各々接続される複数のポートと、上記複数の伝送路の接続検出ラインに、この複数の伝送路に接続されたことを示す信号を各々出力する接続検出信号出力手段と、上記伝送路の接続検出ラインから、この伝送路に接続されたホスト装置は分割された画像信号が送信可能であることを示す信号を受け取ると、上記接続検出ラインに、上記分割された画像信号が受信可能であることを示す信号を出力する受信可能信号出力手段と、上記複数の伝送路の画像伝送ラインから、分割された画像信号を各々受信する複数の画像信号受信手段と、上記複数の画像信号受信手段が受信した上記分割された画像信号を合成する画像信号合成手段とを備えるので、従来におけるような事前の手動操作を受けること無く、分割されて伝送された画像信号を受信し、合成することができる。
【００４０】
本発明の画像伝送方法によれば、画像伝送ラインと接続検出ラインとを有する複数の伝送路を介して、ホスト装置がモニタ装置に画像信号を伝送する画像伝送方法であって、上記モニタ装置は、上記複数の伝送路の接続検出ラインに、この複数の伝送路に接続されたことを示す接続検出信号を各々出力し、上記ホスト装置は、上記複数の伝送路の接続検出ラインから上記接続検出信号を各々受け取ると、上記伝送路の接続検出ラインに、分割された画像信号が送信可能であることを示す送信可能信号を出力し、上記モニタ装置は、上記伝送路の接続検出ラインから上記送信可能信号を受け取ると、上記伝送路の接続検出ラインに、分割された画像信号が受信可能であることを示す受信可能信号を出力し、上記ホスト装置は、上記伝送路の接続検出ラインから上記受信可能信号を受け取ると、上記複数の伝送路の画像伝送ラインに、分割された画像信号を送出し、上記モニタ装置は、上記複数の伝送路の画像伝送ラインから上記分割された画像信号を受信すると、この分割された画像信号を合成するので、分割された画像信号を伝送する場合、従来におけるようにモニタ装置の合成回路を手動で切り換えること無く、分割された画像信号の伝送および合成を自動で行なうことができる。
【図面の簡単な説明】
【図１】本発明の実施形態の画像伝送システムを示す概略図である。
【図２】図１の画像伝送システムの一部を詳細に示した図である。
【図３】第１および第２ホスト側ポートと、第１および第２モニタ側ポートが有する端子の構成を示す概略図である。
【符号の説明】
１０１  画像表示ボード
１０２  ホスト側マイコン
１０３  第１ホスト側ポート
１０４  第２ホスト側ポート
１０５  第１モニタ側ポート
１０６  第２モニタ側ポート
１０７  モニタ側マイコン
１０８  ディスプレイ
１０９  第１ケーブル
１１０  第２ケーブル
１１２  モニタ側ＨＰＤライン
１１３  プルアップ抵抗
【図１】
2004191454.tif 000003
【図２】
2004191454.tif 000004
【図３】
2004191454.tif 000005